(57)【要約】【課題】紙厚が薄い原稿を読み取る場合、画素の再現性が悪くなってしまう。【解決手段】画像処理装置は、光源２１の光量を第１光量とこれよりも小さな第２光量とに変更する光量変更部２３と、前記第１光量により照射された原稿５上の画像の反射光を読み取って第１画像データへ変換し、且つ、前記第２光量により照射された原稿５上の画像の反射光を読み取って第２画像データへ変換する読み取り部２２と、前記第１画像データと前記第２画像データとの各画素の輝度値を算出する輝度値算出部２５と、前記第１画像データの画素の輝度値から比較画素位置を決定する比較画素位置決定部２７と、前記比較画素位置における前記第１画像データの画素の輝度値と前記第２画像データの画素の輝度値とを比較して第１輝度差を求める画素比較部２８と、前記第１輝度差に基づき、第３画像データを作成するデータ作成部２９と、を備えている。【選択図】図１
2013070208.tif 000002
【特許請求の範囲】
【請求項１】
光を出射して原稿を照射する光源と、
光量切り替え信号に基づき、前記光源の出射光の光量を通常の第１光量と前記第１光量よりも少ない第２光量とに変更する光量変更部と、
前記第１光量により照射された前記原稿上の画像の反射光を読み取って第１画像データへ変換し、且つ、前記第２光量により照射された前記原稿上の画像の反射光を読み取って第２画像データへ変換する読み取り部と、
前記読み取り部で変換された前記第１画像データと前記第２画像データとの各画素の輝度値を算出する輝度値算出部と、
前記輝度値算出部で算出された前記第１画像データの画素の前記輝度値から比較画素位置を決定する比較画素位置決定部と、
前記比較画素位置決定部で決定された前記比較画素位置における前記第１画像データの画素の前記輝度値と前記第２画像データの画素の前記輝度値とを比較して第１輝度差を求める画素比較部と、
前記画素比較部で求められた前記第１輝度差に基づき、第３画像データを作成するデータ作成部と、
を備えたことを特徴とする画像処理装置。
【請求項２】
前記データ作成部は、
前記画素比較部で求められた前記第１輝度差が閾値よりも大きいときに、前記第２画像データの画素を再現画素であると判断し、前記再現画素の輝度値で前記第１画像データの画素の前記輝度値を修正した前記第３画像データを作成する第３画像データ作成部であることを特徴とする請求項１記載の画像処理装置。
【請求項３】
前記データ作成部は、
前記輝度値算出部で算出された前記第２画像データの画素の前記輝度値から裏写り比較画素位置を決定する裏写り画素位置決定部と、
前記裏写り画素位置決定部で決定された前記裏写り比較画素位置における前記第１画像データの画素の前記輝度値と前記第２画像データの画素の前記輝度値とを比較して第２輝度差を求める裏写り画素比較部と、
前記画素比較部で求められた前記第１輝度差が閾値よりも大きいときに、前記第２画像データの画素を再現画素であると判断し、前記再現画素の輝度値で前記第１画像データの画素の前記輝度値を修正し、前記裏写り画素比較部で求められた前記第２輝度差が閾値よりも大きいときに、前記第１画像データの画素を裏写り画素であると判断し、前記裏写り画素の輝度値を前記第２画像データの画素の前記輝度値に修正した前記第３画像データを作成する第３画像データ作成部と、
を有することを特徴とする請求項１記載の画像処理装置。
【請求項４】
請求項１〜３のいずれか１項に記載の画像処理装置は、更に、
前記輝度値算出部で算出された前記第１画像データの画素の前記輝度値を補正して前記比較画素位置決定部に与える輝度補正部、
を備えたことを特徴とする画像処理装置。
【請求項５】
請求項１〜４のいずれか１項に記載の画像処理装置は、更に、
前記第１画像データ、前記第２画像データ及び前記第３画像データを保存する画像データ保存部と、
前記画像データ保存部に保存された前記第１画像データ、前記第２画像データ及び前記第３画像データをプレビュー画像として表示する操作パネル部と、を備え、
ユーザが前記操作パネル部で前記第１画像データ、前記第２画像データ及び前記第３画像データを選択印刷可能にしたことを特徴とする画像処理装置。
【発明の詳細な説明】
【技術分野】
【０００１】
本発明は、スキャナや複合機（Multifunction  Peripheral、以下「ＭＦＰ」という。）等の画像処理装置に関するものである。
【背景技術】
【０００２】
従来、例えば、特許文献１に記載されているように、自動原稿給紙部又は原稿台読み取り部にセットされた原稿の画像を、画像読み取り部の読み取りセンサにより読み取って処理する画像処理装置が知られている。
【先行技術文献】
【特許文献】
【０００３】
【特許文献１】特開平１０−２２９４７７号公報
【発明の概要】
【発明が解決しようとする課題】
【０００４】
しかしながら、従来の画像処理装置では、以下の（ａ）、（ｂ）のような課題があった。
【０００５】
（ａ）  従来の画像処理装置においては、紙厚が薄い原稿を読み取る場合、細線や文字の画素の再現性が悪くなってしまうという課題があった。
【０００６】
即ち、通常、原稿を読み取るときは、スキャナ光源からの光が原稿に反射し、その反射光を読み取りセンサが受光して画像データを生成する。この時、スキャナ光源からの光は原稿から反射せず、原稿を通過してバックアップシートから反射する光も発生するが、通常の紙厚の原稿においては、スキャナ光源からの光のほとんどは原稿で反射するため、バックアップシートからの反射光は微々たるものである。しかしながら、紙厚が薄い原稿を読み取った場合は、スキャナ光源からの光が原稿から反射せず、原稿を通過してバックアップシートから反射する光が、通常の紙厚の原稿を読み取る場合と比べて著しく増加してしまう。そのため、紙厚の薄い原稿に記載されている細線や文字からの反射光が、バックアップシートからの反射光と重なって読み取りセンサで受光されてしまい、生成される画像データの細線や文字の画素が極端に薄くなり、再現性が悪くなる。
【０００７】
（ｂ）  紙厚が薄い原稿を読み取った場合は、バックアップシートからの反射光が原稿裏面側から入射するため、原稿裏面の文字の画素が透けて裏写りとして再現されてしまう場合がある。
【課題を解決するための手段】
【０００８】
本発明の画像処理装置は、光を出射して原稿５を照射する光源と、光量切り替え信号に基づき、前記光源の出射光の光量を通常の第１光量と前記第１光量よりも少ない第２光量とに変更する光量変更部と、前記第１光量により照射された前記原稿上の画像の反射光を読み取って第１画像データへ変換し、且つ、前記第２光量により照射された前記原稿上の画像の反射光を読み取って第２画像データへ変換する読み取り部と、前記読み取り部で変換された前記第１画像データと前記第２画像データとの各画素の輝度値を算出する輝度値算出部と、前記輝度値算出部で算出された前記第１画像データの画素の前記輝度値から比較画素位置を決定する比較画素位置決定部と、前記比較画素位置決定部で決定された前記比較画素位置における前記第１画像データの画素の前記輝度値と前記第２画像データの画素の前記輝度値とを比較して第１輝度差を求める画素比較部と、前記画素比較部で求められた前記第１輝度差に基づき、第３画像データを作成するデータ作成部と、を備えたことを特徴とする。
【発明の効果】
【０００９】
本発明の画像処理装置によれば、通常の第１光量で原稿を読み取った第１画像データと、第１光量よりも少ない第２光量で原稿を読み取った第２画像データと、を比較し、この比較結果に基づき、読み取った画像を再現するようにしているので、通常の第１光量で再現されなかった画素を再現させることができる。
【図面の簡単な説明】
【００１０】
【図１】図１は本発明の実施例１における図２の画像処理装置の構成を示す機能ブロック図である。
【図２】図２は本発明の実施例１における画像処理装置を示す概略の外観図である。
【図３】図３は図２中のスキャナ部２を示す概略の拡大縦断面図である。
【図４】図４は図１の情報処理装置で用いる原稿５の読み取り面５ａの例を示す図である。
【図５】図５は図１の情報処理装置における第１画像データＤ２２ａの例を示す図である。
【図６】図６は図１の情報処理装置における第２画像データＤ２２ｂの例を示す図である。
【図７】図７は図１〜図３の画像処理装置における動作を示す概略のフローチャートである。
【図８】図８は本発明の実施例２における図２の画像処理装置の構成を示す機能ブロック図である。
【図９】図９は実施例２における第１画像データＤ２２ｄの例を示す図である。
【図１０】図１０は実施例２における第２画像データＤ２２ｅの例を示す図である。
【図１１】図１１は実施例２の画像処理装置における動作を示す概略のフローチャートである。
【発明を実施するための形態】
【００１１】
本発明を実施するための形態は、以下の好ましい実施例の説明を添付図面と照らし合わせて読むと、明らかになるであろう。但し、図面はもっぱら解説のためのものであって、本発明の範囲を限定するものではない。
【実施例１】
【００１２】
（実施例１の構成）
図２は、本発明の実施例１における画像処理装置を示す概略の外観図である。
【００１３】
この画像処理装置は、例えば、複写（コピー）機能を有するＭＦＰであり、原稿上の画像を記録媒体（例えば、用紙）にコピーする印刷部１を備えている。この印刷部１の上部には、原稿上の画像を読み取るスキャナ部２が取り付けられている。スキャナ部２は、原稿を載置するための載置台２ａを有している。スキャナ部２の前面等には、スイッチ機能及び表示機能を有する操作パネル部３が設けられている。スキャナ部２の上部には、載置台２ａに載置された原稿を押さえるためのフラットベット型の白色のバックアップシート４が、開閉自在に取り付けられている。
【００１４】
図３は、図２中のスキャナ部２を示す概略の拡大縦断面図である。
載置台２ａは、原稿５の読み取り面５ａを載置するための透光性の平板である。載置台２ａの下側には、水平方向に移動可能な光源２１及び読み取り部２２が設けられている。光源２１は、光を出射し、載置台２ａを通して原稿５の読み取り面５ａを照射するものであり、発光ダイオード（ＬＥＤ）アレイ等により構成されている。読み取り部２２は、光源２１に対向して配置され、光源２１の出射光が原稿５及びバックアップシート４で反射すると、その反射光を載置台２ａを通して読み取るものである。光源２１には、この出射光の光量を変更するための光量変更部２３が接続されている。
【００１５】
なお、フラットベット型のバックアップシート４上には、自動原稿供給装置６が装着されることもある。自動原稿供給装置６は、白色のバックアップシート６ａを有し、シート状の原稿５を図３中の矢印方向に、図示しない搬送機構によってそのバックアップシート６ａ下の読み取り位置まで搬送する。読み取り位置に搬送されたシート状の原稿５は、読み取り部２２により読み取られた後、図示しない搬送機構により、図３中の矢印方向に排出される。
【００１６】
図１は、本発明の実施例１における図２の画像処理装置の構成を示す機能ブロック図である。
【００１７】
スキャナ部２は、光量変更部２３により光量が変更される光源２１を有し、この光源２１に対向して読み取り部２２が配置されている。光量変更部２３は、光量切り替え信号ＣＳにより、光源２１の出射光の光量を通常の第１光量とこれよりも少ない第２光量とに変更する機能を有している。光量切り替え信号ＣＳは、例えば、ユーザが、原稿５の紙厚が薄いと判断したときに操作パネル部３のスイッチを押すことにより、その操作パネル部３等から出力されて光量変更部２３に与えられる。なお、前記紙厚の判断をユーザが行う代わりに、スキャナ部２内に図示しない厚み検出センサを取り付けておき、その厚み検出センサにより、原稿５の紙厚が薄いことが検出されると、その厚み検出センサから光量切り替え信号ＣＳが出力されて光量変更部２３に与えられるようにしても良い。
【００１８】
読み取り部２２は、第１光量により照射された原稿５上の画像の反射光を読み取って第１画像データＤ２２ａへ変換し、且つ、第２光量により照射された原稿５上の画像の反射光を読み取って第２画像データＤ２２ｂへ変換するものであり、光電変換素子等により構成されている。読み取り部２２には、画像データ保存部２４が接続されている。
【００１９】
画像データ保存部２４は、読み取り部２２により読み取られた原稿５の第１、第２画像データＤ２２ａ，ｄ２２ｂを保存するものであり、メモリ等により構成されている。画像データ保存部２４には、操作パネル３及び輝度値算出部２５が接続されている。輝度値算出部２５は、通常の第１光量で読み取り部２２により読み取られた原稿５の第１画像データＤ２２ａと、第２光量で読み取り部２２により読み取られた原稿５の第２画像データＤ２２ｂと、の各画素の輝度値を算出するものであり、この出力側に、輝度補正部２６が接続されている。
【００２０】
輝度補正部２６は、輝度値算出部２５で算出された第１画像データＤ２２ａと第２画像データＤ２２ｂとの輝度最大値から、第２画像データＤ２２ｂの各画素の輝度値を補正するものであり、この出力側に、比較画素位置決定部２７が接続されている。比較画素位置決定部２７は、第１画像データＤ２２ａと第２画像データＤ２２ｂとの各画素の輝度値を比較する対象となる画素位置を決定するものであり、この出力側に、画素比較部２８が接続されている。画素比較部２８は、第１画像データＤ２２ａと第２画像データＤ２２ｂとの比較画素位置決定部２７で決定された画素位置の輝度値を比較して第１輝度差Ｄ２８を求めるものである。
【００２１】
画像比較部２８の出力側には、画像比較部２８で求められた画素の第１輝度差Ｄ２８に基づいて第３画像データＤ２２ｃを作成するデータ作成部（例えば、第３画像データ作成部）２９が接続されている。第３画像データ作成部２９は、前記画素の第１輝度差Ｄ２８が予め定められた閾値Ｔ１よりも大きいときに、第２画像データＤ２２ｂの画素を再現画素であると判断し、第１画像データＤ２２ａの画素の輝度値を再現画素の輝度値に修正した第３画像データＤ２２ｃを作成するものである。作成された第３画像データＤ２２ｃは、画像データ保存部２４に保存される。画像データ保存部２４の出力側には、印刷部１が接続されている。
【００２２】
なお、スキャナ部２中の輝度値算出部２５、輝度補正部２６、比較画素位置決定部２７、画素比較部２８、及び第３画像データ作成部２９は、中央処理装置（以下「ＣＰＵ」という。）を用いたプログラム制御により実行されるか、あるいは、個別回路を用いて構成されている。
【００２３】
（実施例１の動作）
図４は、図１の情報処理装置で用いる原稿５の読み取り面５ａの例を示す図である。
【００２４】
この原稿５は、レシート等の紙厚が薄い原稿であるとする。読み取り面５ａにおいて、左上部には模様部分３１、右上部には文字部分３２、及び、下部には文字・模様部分３３がそれぞれ記載されている。
【００２５】
図５は、図１の情報処理装置における第１画像データＤ２２ａの例を示す図である。
この第１画像データＤ２２ａでは、図４の読み取り面５ａに対応して、左上部に模様部分３１の画素、及び下部に文字・模様部分３３の画素が配置されている。後の説明のために、図５には、原点（０，０）を第１画像データＤ２２ａの左上とし、横方向をＸ軸、及び縦方向をＹ軸とするＸＹ座標が設けられている。
【００２６】
図６は、図１の情報処理装置における第２画像データＤ２２ｂの例を示す図である。
この第２画像データＤ２２ｂでは、図４の読み取り面５ａに対応して、左上部に模様部分３１の画素、右上部に文字部分３２の画素、及び下部に文字・模様部分３３の画素が配置されている。背景部分３４には、あるパターンが表示されている。図５と同様に、後の説明のために、図６には、原点（０，０）を第２画像データＤ２２ｂの左上とし、横方向をＸ軸、及び縦方向をＹ軸とするＸＹ座標が設けられている。
【００２７】
図７は、図１〜図３の画像処理装置における動作を示す概略のフローチャートである。
この図７のフローチャートを参照しつつ、本実施例１における画像処理装置の動作を説明する。
【００２８】
図７のフローチャートにおいて、ユーザにより、例えば、図４の原稿５の読み取り面５ａが載置台２ａに載置され、操作パネル部３が操作されて画像処理装置の動作が開始されると、ステップＳ１へ進む。ステップＳ１において、光源２１から通常の第１光量の光が出射され、載置台２ａを通して原稿５の読み取り面５ａが照射される。すると、読み取り面５ａからの反射光が、載置台２ａを通して読み取り部２２へ入射される。読み取り部２２では、入射光を電気信号に変換し、更に、その電気信号を図５の第１画像データＤ２２ａへ変換して出力し、ステップＳ２へ進む。図５の第１画像データＤ２２ａでは、図４の紙厚が薄い原稿５を通常の第１光量で読み取ったため、光源２１の出射光が載置台２ａ及び原稿５を通過してバックアップシート４から反射する光が多くなり、図４の読み取り面５ａに記載されている右上部の文字部分３２からの反射光が、バックアップシート４からの反射光と重なる。そのため、図４の右上部の文字部分３２の画素が極端に薄くなってしまい、図５の第１画像データＤ２２ａでは再現されなくなってしまう。
【００２９】
ステップＳ２において、光量変更部２３は、光量切換信号ＣＳが入力されると、光源２１の出射光を第２光量（例えば、通常の第１光量の７０％程度の光量）に変更し、ステップＳ３へ進む。ステップＳ３において、読み取り部２２は、光量変更部２３で変更された光源２１の第２光量にて照射された原稿５の読み取り面５ａからの反射光を受光し、図６の第２画像データＤ２２ｂへ変換して出力し、ステップＳ４へ進む。図６の第２画像データＤ２２ｂは、読み取り部２２にて通常の第１光量よりも少ない第２光量で読み取られるので、バックアップシート４からの反射光が少なくなる。そのため、図６の第２画像データＤ２２ｂでは、図４の右上部の文字部分３２の画素が再現される。
【００３０】
ステップＳ４において、画像データ保存部２４は、第１画像データＤ２２ａと第２画像データＤ２２ｂとを保存し、ステップＳ５へ進む。輝度値算出部２５は、画像データ保存部２４に保存された第１画像データＤ２２ａと第２画像データＤ２２ｂとの各画素の輝度値Ｙを、ＮＴＳＣ（National  Television  System  Committee）方式の赤緑青（ＲＧＢ）値から輝度値Ｙへの変換式である次式（１）を用いて算出し、ステップＳ６へ進む。
Ｙ＝０．２９８９１×Ｒ＋０．５８６６１×Ｇ＋０．１１４４８×Ｂ・・・（１）
【００３１】
ステップＳ６において、輝度補正部２６は、輝度値算出部２５で算出された第１画像データＤ２２ａの輝度最大値ＭａｘＢｒ１と、輝度値算出部２５で算出された第２画像データＤ２２ｂの輝度最大値ＭａｘＢｒ２とから、次式（２）を用いて算出した値を第２画像データＤ２２ｂの各画素に乗算することによって、第２画像データＤ２２ｂの輝度値Ｙを補正し、ステップＳ７へ進む。
ＭａｘＢｒ１÷ＭａｘＢｒ２・・・（２）
【００３２】
補正内容は、例えば、輝度最大値ＭａｘＢｒ１が２５５、輝度最大値ＭａｘＢｒ２が２００だった場合、式（２）で計算された値は１．２７５となる。この値１．２７５を、第２画像データＤ２２ｂの各画素に乗算する。例えば、第２画像データＤ２２ｂのある画素の輝度値Ｙが４０だった場合、４０×１．２７＝５１となり、その画素の輝度値Ｙは５１となる。
【００３３】
ステップＳ７において、比較画素位置決定部２７は、式（１）で算出された第１画像データＤ２２ａの輝度値の高い画素の座標（ｘ，ｙ）を比較画素位置として決定し、ステップＳ８へ進む。比較画素位置決定部２７では、例えば、輝度値が２４０以上の画素を輝度値の高い画素とすると、その画素位置を比較画素位置とする。
【００３４】
ステップＳ８において、画素比較部２８は、比較画素位置決定部２７で決定された比較画素位置の座標（ｘ，ｙ）の第１画像データＤ２２ａの輝度値Ｙ１と第２画像データＤ２２ｂの輝度値Ｙ２との差を算出して第１輝度差Ｄ２８を求め、この第１輝度差Ｄ２８が閾値Ｔ１よりも大きい場合、第２画像データＤ２２ｂの座標（ｘ，ｙ）の画素を第２画像データＤ２２ｂで再現された画素とする。このときの計算式を次式（３）に示す。
Ｙ１−Ｙ２＞Ｔ１・・・（３）
【００３５】
式（３）が真の場合、その座標の画素は第２画像データＤ２２ｂで再現された画素とする。例えば、第１画像データＤ２２ａの輝度値Ｙ１が２４０、第２画像データＤ２２ｂの輝度値Ｙ２が１５０、閾値Ｔ１が５０であった場合、第１輝度差Ｄ２８（＝Ｙ１−Ｙ２）は９０となって閾値Ｔ１よりも大きくなるため、その座標の第２画像データＤ２２ｂの画素は再現画素となる。なお、閾値Ｔ１は、ユーザの好みによって変更できるようにしても良い。
【００３６】
ステップＳ８の後、結合子Ａを介してステップＳ９へ進む。ステップＳ９において、第３画像データ作成部２９は、画素比較部２８で再現画素となった座標（ｘ，ｙ）の第２画像データＤ２２ｂの画素の輝度値で、第１画像データＤ２２ａの画素の輝度値を修正した第３画像データＤ２２ｃを作成し、ステップＳ１０へ進む。ステップＳ１０において、画像データ保存部２４は、第３画像データＤ２２ｃを保存し、ステップＳ１２へ進む。
【００３７】
ステップＳ１２において、操作パネル部３は、画像データ保存部２４に保存されている第１、第２、第３画像データＤ２２ａ，Ｄ２２ｂ，Ｄ２２ｃをプレビュー画像として表示し、ステップＳ１２へ進む。ステップＳ１２において、印刷部１は、ユーザが操作パネル部３で選択した第１、第２、第３画像データＤ２２ａ，Ｄ２２ｂ，Ｄ２２ｃを用紙に印刷し、動作を終了する。
【００３８】
なお、以上の動作では、フラットベット型のスキャナ部２で読み取った原稿５の画像データＤ２２ａ，Ｄ２２ｂを印刷する場合について説明したが、自動原稿供給装置６から供給される原稿５を読み取り部２２で読み取る場合にも、上記と略同様の動作が行われる。又、光量変更部２３に光量切り替え信号ＣＳが入力されない場合には、読み取り部２２により通常の第１光量で原稿５が読み取られ、その読み取られた画像データが画像データ保存部２４に保存等された後、用紙に印刷される。
【００３９】
（実施例１の効果）
本実施例１によれば、読み取り部２２により通常の第１光量で原稿５を読み取った第１画像データＤ２２ａと、読み取り部２２により第１光量よりも少ない第２光量で原稿５を読み取った第２画像データＤ２２ｂと、を比較し、この比較結果に基づき、読み取った画像を再現するようにしているので、通常の第１光量で再現されなかった画素を再現させることができる。
【実施例２】
【００４０】
（実施例２の構成）
図８は、本発明の実施例２における図２の画像処理装置の構成を示す機能ブロック図であり、実施例１を示す図１中の要素と共通の要素には共通の符号が付されている。
【００４１】
本実施例２の画像処理装置では、実施例１のスキャナ部２とは構成の異なるスキャナ部２Ａが設けられている。本実施例２のスキャナ部２Ａでは、実施例１のスキャナ部２中のデータ作成部としての第３画像データ作成部２９に代えて、データ作成部としての裏写り画素位置決定部４１、裏写り画素比較部４２及び第３画像データ作成部４３が設けられている。
【００４２】
裏写り画素位置決定部４１は、画素比較部２８の出力側に接続され、その画素比較部２８で求められた第１輝度差Ｄ２８に基づき、第１画像データＤ２２ｄと第２画像データＤ２２ｅとの各画素の輝度値を比較する対象となる裏写り画素位置を決定するものであり、この出力側に、裏写り画素比較部４２が接続されている。裏写り画素比較部４２は、第１画像データＤ２２ｄと第２画像データＤ２２ｅとの裏写り画素位置決定部４１で決定された裏写り画素位置の輝度値を比較して第２輝度差Ｄ４２を求めるものであり、この出力側に、第３画像データ作成部４３が接続されている。第３画像データ作成部４３は、裏写り画素比較部４２で求められた第２輝度差Ｄ４２が、予め定められた閾値Ｔ２よりも大きいときに、第１画像データＤ２２ｄの画素を裏写り画素とし、第１画像データＤ２２ｄの裏写り画素の輝度値を第２画像データＤ２２ｅの画素の輝度値に修正した第３画像データＤ２２ｆを作成するものであり、この出力側に、画像データ保存部２４が接続されている。
【００４３】
これらのデータ作成部としての裏写り画素位置決定部４１、裏写り画素比較部４２及び第３画像データ作成部４３は、ＣＰＵを用いたプログラム制御により実行されるか、あるいは、個別回路を用いて構成されている。その他の構成は、実施例１のスキャナ部２と同様である。
【００４４】
（実施例２の動作）
図９は、実施例２における第１画像データＤ２２ｄの例を示す図であり、実施例１の図５中の要素と共通の要素には共通の符号が付されている。
【００４５】
本実施例２の第１画像データＤ２２ｄでは、実施例１の第１画像データＤ２２ａと同様に、左上部に模様部分３１の画素、及び下部に文字・模様部分３３の画素が配置されている。しかし、実施例１とは異なり、文字・模様部分３３の下に、原稿裏面の文字部分３５の画素が再現されている。後の説明のために、図９には、原点（０，０）を画像データＤ２２ｄの左上とし、横方向をＸ軸、及び縦方向をＹ軸とするＸＹ座標が設けられている。
【００４６】
本実施例２における第１画像データＤ２２ｄでは、原稿５の紙厚が薄いので、バックアップシート４からの反射光が多くなるため、図４の右上部の文字部分３２の画素が、図９では再現されない。又、第１画像データＤ２２ｄでは、原稿５の紙厚が薄いので、バックアップシート４からの反射光が原稿裏面側から入射するため、原稿裏面の文字部分３５の画素が透けて図９の下部に再現されてしまう。
【００４７】
図１０は、実施例２における第２画像データＤ２２ｅの例を示す図であり、実施例１の図６中の要素と共通の要素には共通の符号が付されている。
【００４８】
本実施例２の第２画像データＤ２２ｅでは、実施例１の第２画像データＤ２２ｂと同様に、左上部に模様部分３１の画素、右上部に文字部分３２の画素、及び下部に文字・模様部分３３の画素が配置されている。背景部分３４には、あるパターンが表示されている。図９と同様に、後の説明のために、図１０には、原点（０，０）を画像データＤ２２ｅの左上とし、横方向をＸ軸、及び縦方向をＹ軸とするＸＹ座標が設けられている。
【００４９】
本実施例２における第２画像データＤ２２ｅでは、読み取り部２２により、通常の第１光量よりも少ない第２光量で読み取られるので、バックアップシート４からの反射光が少なくなるため、図４の右上部の文字部分３２の画素が、図１０で再現される。又、第２画像データＤ２２ｅは、バックアップシート４からの反射光が少なくなり，原稿裏面側からの入射光も少なくなるため、原稿裏面の文字部分３５の画素が、図１０では再現されない。
【００５０】
図１１は、実施例２の画像処理装置における動作を示す概略のフローチャートである。
本実施例２のフローチャートでは、実施例１の図７のフローチャートにおけるステップＳ９〜Ｓ１２の処理に代えて、ステップＳ２１〜Ｓ２６の処理が行われる。
【００５１】
図１１のフローチャートにおける結合子Ａの次のステップＳ２１において、裏写り画素位置決定部４１は、式（１）で算出された図１０の第２画像データＤ２２ｅの輝度値の高い画素の座標（ｘ，ｙ）を裏写り比較画素位置として決定する。例えば、輝度値が２４０以上の画素を輝度値の高い画素とすると、その画素位置を裏写り比較画素位置として決定し、ステップＳ２２へ進む。
【００５２】
ステップＳ２２において、裏写り画素比較部４２は、裏写り画素位置決定部４１で決定された裏写り比較画素位置の座標（ｘ，ｙ）における第２画像データＤ２２ｅの輝度値Ｙ２と第１画像データＤ２２ｄの輝度値Ｙ１との差である第２輝度差Ｄ４２（＝Ｙ２−Ｙ１）を算出し、この第２輝度差Ｄ４２（＝Ｙ２−Ｙ１）が闘値Ｔ２よりも大きい場合、第１画像データＤ２２ｄの座標（ｘ，ｙ）の画素を、裏写り画素とする。このときの計算式を次式（４）に示す。
Ｙ２−Ｙｌ＞Ｔ２・・・（４）
【００５３】
この式（４）が真の場合、その座標（ｘ，ｙ）の画素は、第１画像データＤ２２ｄで再現された裏写り画素とする。例えば、輝度値Ｙ２が２４５、輝度値Ｙ１が１６０、閾値Ｔ２が６０であった場合、第２輝度差Ｄ４２（＝Ｙ２−Ｙ１）は８５となって閾値Ｔ２よりも大きくなるため、その座標の第１画像データＤ２２ｄの画素は裏写り画素となる。なお、閾値Ｔ２は、ユーザの好みによって変更できるようにしても良い。
【００５４】
次に、ステップＳ２３において、第３画像データ作成部４３は、画素比較部２８で再現画素となった座標（ｘ，ｙ）における第２画像データＤ２２ｅの画素の輝度値で、第１画像データＤ２２ｄの画素の輝度値を修正し、裏写り画素比較部４２で裏写り画素となった座標（ｘ，ｙ）における第２画像データＤ２２ｄの画素の輝度値で、第１画像データＤ２２ｄの画素の輝度値を修正した第３画像データＤ２２ｆを作成し、ステップＳ２４へ進む。
【００５５】
ステップＳ２４において、画像データ保存部２４は、第３画像データＤ２２ｆを保存し、ステップＳ２５へ進む。ステップＳ２５において、操作パネル部３は、画像データ保存部２４に保存されている第１、第２、第３画像データＤ２２ｄ，Ｄ２２ｅ，Ｄ２２ｆをプレビュー画像として表示し、ステップＳ２６へ進む。ステップＳ２６において、印刷部１は、ユーザが操作パネル部３で選択した画像データＤ２２ｄ，Ｄ２２ｅ，Ｄ２２ｆを用紙に印刷し、動作を終了する。
【００５６】
なお、以上の動作では、フラットベット型のスキャナ部２で読み取った原稿５の画像データＤ２２ｄ，Ｄ２２ｅを印刷する場合について説明したが、自動原稿供給装置６から供給される原稿５を読み取り部２２で読み取る場合にも、上記と略同様の動作が行われる。又、実施例１と同様に、光量変更部２３に光量切り替え信号ＣＳが入力されない場合には、読み取り部２２により通常の第１光量で原稿５が読み取られ、その読み取られた画像データが画像データ保存部２４に保存等された後、用紙に印刷される。
【００５７】
（実施例２の効果）
本実施例２によれば、読み取り部２２により、通常の第１光量で原稿５を読み取った第１画像データＤ２２ｄと、第１光量よりも少ない第２光量で原稿５を読み取った第２画像データＤ２２ｅとを比較し、その比較結果に基づき、画像データを再現しているので、通常の第１光量で再現されなかった画素を再現させることができ、第１画像データＤ２２ｄに再現されてしまった裏写り画素を除去することができる。
【００５８】
（変形例）
本発明は、上記実施例１、２に限定されず、種々の利用形態や変形が可能である。この利用形態や変形例としては、例えば、次の（ａ）、（ｂ）のようなものがある。
【００５９】
（ａ）  図１及び図８中の輝度補正部２６を省略し、輝度値算出部２５の出力側に比較画素位置決定部２７を接続しても良い。このような構成に変更した場合、実施例１、２よりも精度が劣るが、従来の課題を解決することができる。
【００６０】
（ｂ）  実施例１、２では、画像処理装置としてコピー機能に適用した例を説明したが、スキャン機能、ファクシミリ（ＦＡＸ）機能等での利用も可能である。
【符号の説明】
【００６１】
１      印刷部
２，２Ａ      スキャナ部
３      操作パネル
４，  ６ａ      バックアップシート
５      原稿
２１      光源
２２      読み取り部
２３      光量変更部
２４      画像データ保存部
２５      輝度値算出部
２６      輝度補正部
２７      比較画素位置決定部
２８      画素比較部
２９，４３      第３画像データ作成部
４１      裏写り画素位置決定部
４２      裏写り画素比較部
【図１】
2013070208.tif 000003
【図２】
2013070208.tif 000004
【図３】
2013070208.tif 000005
【図４】
2013070208.tif 000006
【図５】
2013070208.tif 000007
【図６】
2013070208.tif 000008
【図７】
2013070208.tif 000009
【図８】
2013070208.tif 000010
【図９】
2013070208.tif 000011
【図１０】
2013070208.tif 000012
【図１１】
2013070208.tif 000013